(57)【要約】      （修正有）【課題】スピーカーボックスを小型化すると、低い周波数の再生が困難となり、音質が悪化してしまう。小型化しても、豊かな低音域と臨場感あふれる高音域の再生を可能とするスピーカーボックスを提供する。【解決手段】スピーカーの背面から放射された音は、斜めに配置された区画部材１８により反射されながら第１ダクトに導かれ、第１ダクトを通過する時に低音域が増強される。このダクトの出口には第１ダクト底板穴１７ａが配置されており、低音域は通過できるが音質を劣化させる中高音域はこの穴で減衰させられる。第１ダクト底板穴１７ａを通過した音は、裾拡がりに配置された区画部材１８と後板１２の間を通過する際に、更に低音域が増強される。増強された低音域の音は第２ダクト天板穴２０ａを通過する際に、低音域は通過できるが音質を劣化させる中高音域はこの穴で減衰させられる。更に第２ダクトを通過する時に低音域が増強される。【選択図】図１
0003167758.tif 000002
【実用新案登録請求の範囲】
【請求項１】
バスレフ構造を持つスピーカーボックスにおいて、スピーカーを取り付ける第１室と、第１室に設けられた第１ダクトを介して繋がった第２室を形成し、第２室に設けられた第２ダクトを介して外部にスピーカーの音が放射されるように形成されたスピーカーボックス。
【請求項２】
第１ダクトの音の入口がスピーカー取り付け部よりも上に設けられた事を特徴とするスピーカーボックス。
【請求項３】
第１室と第２室の区画部材が斜めに取り付けられた事を特徴とするスピーカーボックス。
【請求項４】
第１ダクトの音の出口のサイズは、第１ダクトの断面積の半分以下まで小さくして、音の通過を制限しているスピーカーボックス。
【請求項５】
第２ダクトの音の入口のサイズは、第２ダクトの断面積の半分以下まで小さくして、音の通過を制限しているスピーカーボックス。
【考案の詳細な説明】
【技術分野】
【０００１】本発明は、バスレフ型構造を持つスピーカーボックスに関するものである。
【背景技術】
【０００２】スピーカーボックスの低音域の改善方法には、一般的にはバスレフ型、バックロードホーン型、共鳴管型等、様々な方式があるが、コンパクトで安価に製作できるバスレフ型が最も多く採用されている。
【先行技術文献】
【特許文献】
【０００３】
【特許文献１】特開２００２−２９１０８２
【特許文献２】特開２００７−１６６５８９
【特許文献３】特開２００７−２３５２８２
【考案の概要】
【考案が解決しようとする課題】
【０００４】しかしスピーカーボックスをコンパクトにすると、スピーカーユニットの背面からの音の放射により、第１ダクト、第２ダクトから音質を悪化させる中高域の音が洩れ易くなり、この為に聴感上の音の質を劣化させる原因となる為に、通常では内部に吸音材を設けて、ダクトからの中高域の音の漏洩を防止している。この為に逆に聴感上の中高域の音が失われてしまう結果となり、それを補う為に中高域専用のスピーカーを増設して２スピーカーとなり、大幅なコストアップとなっている。【０００５】本発明により、スピーカーボックスをコンパクトにしても、第１ダクト、第２ダクトからの中高域の音漏れを最小限に留める事が可能となり、その結果吸音材が不要となり、スピーカー１個だけで、より豊かな低音の再生と澄み切った中高音の再生を可能とするスピーカーボックスを提供できる。
【問題を解決するための手段】
【０００６】本発明のバスレフ型構造を持つスピーカーボックスはスピーカーユニットが取り付けられた第１室と、第１室内にある第１ダクトで繋がった第２室と、第２室に設けられた第２ダクトを介して外部にスピーカーの音が放射される様に構成する。
【０００７】第１ダクトの音の入口がスピーカー取り付け部よりも上に設ける事を特徴としている。
【０００８】更に第１ダクトの音の出口のサイズは、第１ダクトの断面積の半分以下として音の通過を制限する。
【０００９】更に第２ダクトの音の入口のサイズは、第２ダクトの断面積の半分以下として音の通過を制限する。
【００１０】第１室と第２室の区画部材は、第１ダクトの出口近辺から斜め下に第２ダクトの出口近辺に向かって裾拡がりになる様に配置されている事を特徴としている。
【発明の効果】
【００１１】０００７項により、スピーカーの音は第１室内で反射を繰り返して第１ダクトに進入する際に、反射する度に中高域の音が大幅に減衰する。この為に第１ダクトを通過する中高域の音漏れが減少し、音質の劣化を防ぐ事ができる。又、反射を繰り返す事で第１室内の内部圧力が高まり、結果第１ダクトへの音の進入速度が増加して、より豊かな低音域が得られる事となる。
【００１２】０００８項〜０００９項により、第１および第２ダクトへの音の進入速度が増加するので、より豊かな低音域が得られる事となる。第１ダクト、第２ダクトともにヘルムホルツの共鳴器の原理から計算されたダクトの断面積とダクトの長さにて構成されており、第１ダクトでは１００Ｈｚ前後で共鳴し、第２ダクトでは５０Ｈｚ前後で共鳴するように寸法設定されている。つまりこの２つの低い周波数で共鳴が起こり豊かな低音域の再生が可能となる。
【００１３】００１０項により、音の入口から出口に向かって区画部材が斜めとなる裾広がりな形状により、低音域は更に増加させる事ができる。これは一般的にはエクスポネンシャルホーンと呼ばれる構造に近くなり、低音域増大には有効に機能する事は周知の事実となっている。
【図面の簡単な説明】
【００１４】
【図１】本発明に係る実施例の斜視図
【図２】本発明に係る実施例の側面図
【図３】本発明に係る実施例の斜視図
【発明を実施する為の形態】
【実施例１】
【００１５】図１はこの発明に係る実施例１の斜視図である。図２はそれの側面図である。【００１６】図１及び図２のスピーカーボックスは、前板１１、後板１２、天板１３、底板１４、左板１５、右板１６で形成された箱の形状をしている。【００１７】スピーカーユニットから背面へ放射された音は区画部材１８と第１ダクト底板１７の囲まれた第１室内で反射しながら第１ダクトに進入していく。この反射により第１室内の音圧が増大されて第１ダクトに進入する結果、低音域の増大がより高められる。
又、反射時に中高音は木の壁に吸収されて減衰する為に、音質を劣化させる中高音が第１ダクトに進入するのを軽減できる事になる。【００１８】天板１３の直下に一定の空間を持たせて第１ダクト底板１７が付設され、左板１５と右板１６とで四角ダクトを構成している。スピーカーユニットの背面から放射された音は、このダクトを通過する事により、低音域が増大される事になる。更に第１ダクト底板１７は後板１２に密着しており、音は第１ダクト底板穴１７ａにより通過する時に制限を受ける。比較的低音域はこの制限を受けずらく、中高音域は大幅に制限を受ける為に、この第１ダクト底板穴１７ａの小穴は音質を劣化させる中高音域を減衰する事ができる。【００１９】第１ダクト底板穴１７ａから放射された音は、裾拡がりに配置された区画部材１８に導かれ、第２室２４に進入する。区画部材は裾拡がりの為にここでも低音域の増大がはかれる。【００２０】低音域が増大された音は、更に、第２ダクト天板２０に設けられた第２ダクト天板穴２０ａの小穴により、制限を受ける。比較的低音域はこの制限を受けずらく、中高音域は大幅に制限を受ける為に、この第２ダクト天板穴２０ａの小穴は音質を悪化させる中高音域を減衰する事ができる。中高音に制限を受けた音は第２ダクト２２により低音域のみが増大されて外部に放出される。音質を悪化させる中高音は第２ダクトから外部に洩れる事が無くなる為に、再生される音は非常にクリアで臨場感あふれる音となり、かつ量感豊かな低音域の再生も可能となる。
【実施例２】
【００２１】００１５〜００２０項は一例を示しており、それぞれを単独で構成しても、組み合わせで構成しても本発明の一つとみなす。
【実施例３】
【００２２】第１ダクト及び第２ダクトは四角ダクトで説明しているが、丸型ダクトに置き換えても本発明の効果が得られる。
【実施例４】
【００２３】００１９項の裾拡がりに配置された区画部材１８は、図３のように水平に配置された区画部材１８ａと垂直に配置された区画部材１８ｂとで構成されても同様の効果が得られる。
【符号の説明】
【００２４】１１  前板
１２  後板
１３  天板
１４  底板
１５  左板
１６  右板
１７  第１ダクト底板
１７ａ  第１ダクト底板穴
１８  区画部材
１８ａ  水平区画部材
１８ｂ  垂直区画部材
１９  スピーカー取付穴
２０  第２ダクト天板
２０ａ  第２ダクト天板穴
２１  第１ダクト
２２  第２ダクト
２３  第１室
２４  第２室
【図１】
0003167758.tif 000003
【図２】
0003167758.tif 000004
【図３】
0003167758.tif 000005
【手続補正書】
【提出日】平成23年2月21日(2011.2.21)
【手続補正１】
【補正対象書類名】実用新案登録請求の範囲
【補正対象項目名】全文
【補正方法】変更
【補正の内容】
【実用新案登録請求の範囲】
【請求項１】
バスレフ構造を持つスピーカーボックスにおいて、スピーカーを取り付ける第１室と、第１室に設けられた第１ダクトを介して繋がった第２室を形成し、第２室に設けられた第２ダクトを介して外部にスピーカーの音が放射されるように形成されたスピーカーボックス。
【請求項２】
第１ダクトの音の入口がスピーカー取り付け部よりも上に設けられた事を特徴とする請求項１記載のスピーカーボックス。
【請求項３】
第１室と第２室の区画部材が斜めに取り付けられた事を特徴とする請求項１記載のスピーカーボックス。
【請求項４】
第１ダクトの音の出口のサイズは、第１ダクトの断面積の半分以下まで小さくして、音の通過を制限している請求項１記載のスピーカーボックス。
【請求項５】
第２ダクトの音の入口のサイズは、第２ダクトの断面積の半分以下まで小さくして、音の通過を制限している請求項１記載のスピーカーボックス。
【手続補正２】
【補正対象書類名】明細書
【補正対象項目名】全文
【補正方法】変更
【補正の内容】
【考案の詳細な説明】
【技術分野】
【０００１】本考案は、バスレフ型構造を持つスピーカーボックスに関するものである。
【背景技術】
【０００２】スピーカーボックスの低音域の改善方法には、一般的にはバスレフ型、バックロードホーン型、共鳴管型等、様々な方式があるが、コンパクトで安価に製作できるバスレフ型が最も多く採用されている。
【先行技術文献】
【特許文献】
【０００３】
【特許文献１】特開２００２−２９１０８２
【特許文献２】特開２００７−１６６５８９
【特許文献３】特開２００７−２３５２８２
【考案の概要】
【考案が解決しようとする課題】
【０００４】しかしスピーカーボックスをコンパクトにすると、スピーカーユニットの背面からの音の放射により、第１ダクト、第２ダクトから音質を悪化させる中高域の音が洩れ易くなり、この為に聴感上の音の質を劣化させる原因となる為に、通常では内部に吸音材を設けて、ダクトからの中高域の音の漏洩を防止している。この為に逆に聴感上の中高域の音が失われてしまう結果となり、それを補う為に中高域専用のスピーカーを増設して２スピーカーとなり、大幅なコストアップとなっている。【０００５】本考案により、スピーカーボックスをコンパクトにしても、第１ダクト、第２ダクトからの中高域の音漏れを最小限に留める事が可能となり、その結果吸音材が不要となり、スピーカー１個だけで、より豊かな低音の再生と澄み切った中高音の再生を可能とするスピーカーボックスを提供できる。
【問題を解決するための手段】
【０００６】本考案のバスレフ型構造を持つスピーカーボックスはスピーカーユニットが取り付けられた第１室と、第１室内にある第１ダクトで繋がった第２室と、第２室に設けられた第２ダクトを介して外部にスピーカーの音が放射される様に構成する。
【０００７】第１ダクトの音の入口がスピーカー取り付け部よりも上に設ける事を特徴としている。
【０００８】更に第１ダクトの音の出口のサイズは、第１ダクトの断面積の半分以下として音の通過を制限する。
【０００９】更に第２ダクトの音の入口のサイズは、第２ダクトの断面積の半分以下として音の通過を制限する。
【００１０】第１室と第２室の区画部材は、第１ダクトの出口近辺から斜め下に第２ダクトの出口近辺に向かって裾拡がりになる様に配置されている事を特徴としている。
【考案の効果】
【００１１】０００７項により、スピーカーの音は第１室内で反射を繰り返して第１ダクトに進入する際に、反射する度に中高域の音が大幅に減衰する。この為に第１ダクトを通過する中高域の音漏れが減少し、音質の劣化を防ぐ事ができる。又、反射を繰り返す事で第１室内の内部圧力が高まり、結果第１ダクトへの音の進入速度が増加して、より豊かな低音域が得られる事となる。
【００１２】０００８項〜０００９項により、第１および第２ダクトへの音の進入速度が増加するので、より豊かな低音域が得られる事となる。第１ダクト、第２ダクトともにヘルムホルツの共鳴器の原理から計算されたダクトの断面積とダクトの長さにて構成されており、第１ダクトでは１００Ｈｚ前後で共鳴し、第２ダクトでは５０Ｈｚ前後で共鳴するように寸法設定されている。つまりこの２つの低い周波数で共鳴が起こり豊かな低音域の再生が可能となる。
【００１３】００１０項により、音の入口から出口に向かって区画部材が斜めとなる裾広がりな形状により、低音域は更に増加させる事ができる。これは一般的にはエクスポネンシャルホーンと呼ばれる構造に近くなり、低音域増大には有効に機能する事は周知の事実となっている。
【図面の簡単な説明】
【００１４】
【図１】本考案に係る実施例の斜視図
【図２】本考案に係る実施例の側面図
【図３】本考案に係る実施例の斜視図
【考案を実施する為の形態】
【実施例１】
【００１５】図１はこの考案に係る実施例１の斜視図である。図２はそれの側面図である。【００１６】図１及び図２のスピーカーボックスは、前板１１、後板１２、天板１３、底板１４、左板１５、右板１６で形成された箱の形状をしている。【００１７】スピーカーユニットから背面へ放射された音は区画部材１８と第１ダクト底板１７の囲まれた第１室内で反射しながら第１ダクトに進入していく。この反射により第１室内の音圧が増大されて第１ダクトに進入する結果、低音域の増大がより高められる。
又、反射時に中高音は木の壁に吸収されて減衰する為に、音質を劣化させる中高音が第１ダクトに進入するのを軽減できる事になる。【００１８】天板１３の直下に一定の空間を持たせて第１ダクト底板１７が付設され、左板１５と右板１６とで四角ダクトを構成している。スピーカーユニットの背面から放射された音は、このダクトを通過する事により、低音域が増大される事になる。更に第１ダクト底板１７は後板１２に密着しており、音は第１ダクト底板穴１７ａにより通過する時に制限を受ける。比較的低音域はこの制限を受けずらく、中高音域は大幅に制限を受ける為に、この第１ダクト底板穴１７ａの小穴は音質を劣化させる中高音域を減衰する事ができる。【００１９】第１ダクト底板穴１７ａから放射された音は、裾拡がりに配置された区画部材１８に導かれ、第２室２４に進入する。区画部材は裾拡がりの為にここでも低音域の増大がはかれる。【００２０】低音域が増大された音は、更に、第２ダクト天板２０に設けられた第２ダクト天板穴２０ａの小穴により、制限を受ける。比較的低音域はこの制限を受けずらく、中高音域は大幅に制限を受ける為に、この第２ダクト天板穴２０ａの小穴は音質を悪化させる中高音域を減衰する事ができる。中高音に制限を受けた音は第２ダクト２２により低音域のみが増大されて外部に放出される。音質を悪化させる中高音は第２ダクトから外部に洩れる事が無くなる為に、再生される音は非常にクリアで臨場感あふれる音となり、かつ量感豊かな低音域の再生も可能となる。
【実施例２】
【００２１】００１５〜００２０項は一例を示しており、それぞれを単独で構成しても、組み合わせで構成しても本考案の一つとみなす。
【実施例３】
【００２２】第１ダクト及び第２ダクトは四角ダクトで説明しているが、丸型ダクトに置き換えても本考案の効果が得られる。
【実施例４】
【００２３】００１９項の裾拡がりに配置された区画部材１８は、図３のように水平に配置された区画部材１８ａと垂直に配置された区画部材１８ｂとで構成されても同様の効果が得られる。
【符号の説明】
【００２４】１１  前板
１２  後板
１３  天板
１４  底板
１５  左板
１６  右板
１７  第１ダクト底板
１７ａ  第１ダクト底板穴
１８  区画部材
１８ａ  水平区画部材
１８ｂ  垂直区画部材
１９  スピーカー取付穴
２０  第２ダクト天板
２０ａ  第２ダクト天板穴
２１  第１ダクト
２２  第２ダクト
２３  第１室
２４  第２室
【手続補正３】
【補正対象書類名】図面
【補正対象項目名】全図
【補正方法】変更
【補正の内容】
【図１】
0003167758.tif 000006
【図２】
0003167758.tif 000007
【図３】
0003167758.tif 000008